(57)【要約】【課題】所定の閾値を下回る電圧が入力された場合に蛍光ランプを消灯する消灯手段を備える電球形蛍光ランプ装置を提供する。【解決手段】所望の制御対象を選択して制御するリモコン送信器１において、複数の前記制御対象を同時に選択するチャンネル選択ボタン２，３，４と、前記制御対象に実行させる動作を指定する点灯ボタン５および消灯ボタン６と、点灯命令あるいは消灯命令を、チャンネル選択ボタン２，３，４で選択された全ての前記制御対象に出力する制御部７を備える。また、制御部７は、点灯命令あるいは消灯命令を、チャンネル選択ボタン２，３，４で選択された全ての前記制御対象に、逐次出力する。【選択図】図１
2009278375.tif 000002
【特許請求の範囲】
【請求項１】
所望の制御対象を選択して制御するリモコン送信器において、
複数の前記制御対象を同時に選択する制御対象選択手段と、
前記制御対象に実行させる動作を指定する動作指定手段と、
前記動作指定手段で指定された動作を実行させる制御命令を、前記制御対象選択手段で選択された全ての前記制御対象に出力する制御部を備える
ことを特徴とするリモコン送信器。
【請求項２】
前記制御部は、前記動作指定手段で指定された動作を実行させる制御命令を、前記制御対象選択手段で選択された全ての前記制御対象に、逐次出力する
ことを特徴とする請求項１に記載のリモコン送信器。
【請求項３】
前記制御命令を記憶する記憶手段を備えるとともに、
前記制御手段は、前記記憶手段から前記制御命令を読み出して前記制御対象に出力する  ことを特徴とする請求項１に記載のリモコン送信器。
【請求項４】
前記制御命令は前記制御対象毎に異なる
ことを特徴とする請求項３に記載のリモコン送信器。
【請求項５】
前記制御命令は前記動作毎に異なる
ことを特徴とする請求項４に記載のリモコン送信器。
【請求項６】
前記制御対象選択手段は、前記制御対象に一対一で対応する複数の押しボタンスイッチである
ことを特徴とする請求項１に記載のリモコン送信器。
【請求項７】
前記動作指定手段は、前記動作に一対一で対応する押しボタンスイッチである
ことを特徴とする請求項６に記載のリモコン送信器。
【発明の詳細な説明】
【技術分野】
【０００１】
本発明は、リモコン送信機、特に複数の制御対象の中から所望の制御対象を選択して制御するリモコン送信器に関する。
【背景技術】
【０００２】
複数の制御対象の中から所望の制御対象を選択して制御するための切り替えスイッチを設けたリモコン送信器が知られている。例えば、特許文献１には、制御対象の照明器具を選択するチャンネル切り替えスイッチと、照明器具に所望の動作をさせるための操作ボタンと、前記チャンネル切り替えスイッチで選択された照明器具に対応する制御信号を出力する制御部と、前記制御部から出力される制御信号を照明器具に送信する送信部と、複数の照明器具にそれぞれ対応する制御信号を格納する記憶部とを有する照明用リモコン送信器（以下、従来のリモコン送信器という）が開示されている。
【０００３】
従来のリモコン送信器のチャンネル切り替えスイッチを操作して、制御しようとする照明器具に対応するチャンネルを選択して、操作ボタンを押すと、制御部が、選択された照明器具に対応する制御信号を記憶部から読み出して、送信部から送信する。選択された照明器具は、送信された制御信号を受信すると、その制御信号に対応する動作（例えば、点灯、調光あるいは消灯）を実行する。
【０００４】
【特許文献１】特許第３１６４１５８号公報
【発明の開示】
【発明が解決しようとする課題】
【０００５】
しかしながら、従来のリモコン送信器は、チャンネル切り替えスイッチで１台の照明器具を選択して、その１台の照明器具に対して制御信号を送信するので、多数の照明器具を操作しようとすると、チャンネル切り替えスイッチによる照明器具の選択と操作ボタンの押釦を照明器具の数だけ繰り返さなければならなかった。そのため、操作が煩わしいという問題があった。
【０００６】
本発明は、このような背景に鑑みてなされたものであり、一回の操作で多数の制御対象に制御信号を送信することができるリモコン送信器を提供するものである。
【課題を解決するための手段】
【０００７】
本発明に係るリモコン送信器は、所望の制御対象を選択して制御するリモコン送信器において、複数の前記制御対象を同時に選択する制御対象選択手段と、前記制御対象に実行させる動作を指定する動作指定手段と、前記動作指定手段で指定された動作を実行させる制御命令を、前記制御対象選択手段で選択された全ての前記制御対象に出力する制御部を備えることを特徴とする。
【発明の効果】
【０００８】
本発明のリモコン送信器は、複数の前記制御対象を同時に選択するので、動作指定手段を１回操作するだけで、多数の制御対象を操作することができる。
【発明を実施するための最良の形態】
【０００９】
以下、本発明を実施するための最良の形態について説明する。
【００１０】
図１は、本発明に係るリモコン送信器の外形図であり、図２は、前記リモコン送信器の内部回路の概念的な構成図である。
【００１１】
図１に示すように、リモコン送信器１は、３個のチャンネル選択ボタン２，３，４と、
点灯ボタン５及び消灯ボタン６を備える。
【００１２】
チャンネル選択ボタン２，３，４は、図示しない照明器具Ａ，Ｂ，Ｃにそれぞれ対応するスイッチである。例えば、チャンネル選択ボタン２を押すと、照明器具Ａが選択され、チャンネル選択ボタン３とチャンネル選択ボタン４を押すと、照明器具Ｂと照明器具Ｃが選択される。また、チャンネル選択ボタン２，３，４の全てを押すと、照明器具Ａ，Ｂ，Ｃの全てが選択される。
【００１３】
点灯ボタン５及び消灯ボタン６は、チャンネル選択ボタン２，３，４で選択された照明器具を点灯及び消灯するスイッチである。
【００１４】
また、図２に示すように、リモコン送信器１は、制御部７と記憶部８を備える。
【００１５】
制御部７は、コンピュータ９と送信部１０から構成され、コンピュータ９に書き込まれたプログラムに従って、記憶部８から制御命令を読み出して、送信部１０から出力する。
【００１６】
なお、前記制御命令は、照明器具Ａ，Ｂ，Ｃ毎に異なり、「点灯」「消灯」の区別もある。つまり、本実施形態では、６通りの制御命令が記憶部８に記憶される。
【００１７】
また、送信部１０は前記制御命令を赤外線信号に変換して、制御対象の照明器具に送信するインターフェイスである。
【００１８】
図３は、コンピュータ９で実行される制御プログラム１１の概略を示すフローチャートである。以下、図３を参照しながら、制御プログラム１１を説明する。なお、制御プログラム１１は、点灯ボタン５あるいは消灯ボタン６が押されると、起動するが、ここでは、点灯ボタン５を押して、制御プログラム１１を起動した場合について説明する。
【００１９】
（ステップ１）チャンネル選択ボタン２が押し下げられていたら、ステップ２に進み、チャンネル選択ボタン２が押し下げられていなければ、ステップ３に進む。
【００２０】
（ステップ２）記憶部８から、照明器具Ａを点灯する制御命令を読み出し、送信部１０から送信し、ステップ３に進む。
【００２１】
（ステップ３）チャンネル選択ボタン３が押し下げられていたら、ステップ４に進み、チャンネル選択ボタン３が押し下げられていなければ、ステップ５に進む。
【００２２】
（ステップ４）記憶部８から、照明器具Ｂを点灯する制御命令を読み出し、送信部１０から送信し、ステップ５に進む。
【００２３】
（ステップ５）チャンネル選択ボタン４が押し下げられていたら、ステップ６に進み。チャンネル選択ボタン４が押し下げられていなければ、制御プログラム１１を終了する。    
【００２４】
（ステップ６）記憶部８から、照明器具Ｃを点灯する制御命令を読み出し、送信部１０から送信し、制御プログラム１１を終了する。
【００２５】
このように、点灯ボタン５を１回押すだけで、事前に選択された複数の照明器具を点灯することができる。
【００２６】
なお、チャンネル選択ボタン２，３，４の全てを押し下げて、照明器具Ａ，Ｂ，Ｃの全てを選択すると、照明器具Ａ，Ｂ，Ｃを点灯する制御命令が逐次送信されるが、送信に要する時間は十分短いので、照明器具Ａ，Ｂ，Ｃを「実質的に」同時に点灯することができる。
【００２７】
また、本実施形態では、チャンネル選択ボタンを３個備えた例を示したが、チャンネル選択ボタンは３個には限られない。２個であっても、４個以上であってもよい。また、チャンネル選択ボタンに代えて、他の形式のスイッチでチャンネルを選択するようにしてもよい。
【００２８】
また、本実施形態では、本発明のリモコン送信器で照明器具を制御する例を示したが、本発明のリモコン送信器の制御対象は照明器具には限られない。本発明のリモコン送信器を、空調機器、ＡＶ機器など、各種の機器の制御に応用することができることはいうまでもない。
【図面の簡単な説明】
【００２９】
【図１】本発明に係るリモコン送信器の外形図である。
【図２】前記リモコン送信器の内部回路の概念的な構成図である。
【図３】前記リモコン送信器の制御プログラムの概略フローチャートである。
【符号の説明】
【００３０】
１  リモコン送信器
２，３，４  チャンネル選択ボタン
５  点灯ボタン
６  消灯ボタン
７  制御部
８  記憶部
９  コンピュータ
１０  送信部
１１  制御プログラム
【図１】
2009278375.tif 000003
【図２】
2009278375.tif 000004
【図３】
2009278375.tif 000005